(57)【要約】【課題】家具構造の提供。【解決手段】家具構造は上板体、下板体、少なくとも一つの内フレームと複数の棒体、からなり、上下板体の下面と上面は、周囲の外形に沿って、それぞれ係槽を設置する。内フレームは封閉するフレーム体で、上板体と下板間に設置される。複数の棒体の両端はそれぞれ、上板体と下板体の係槽中に挿入され、且つ、棒状の両端間は内フレームに寄り掛かり、固定素子により棒体を内フレームに固定し、これにより、棒体を編織した家具を構成する。【選択図】    図１
0003128964.tif 000002
【実用新案登録請求の範囲】
【請求項１】
家具構造であって、
下面は周囲外形に沿って環状の傾斜槽を有する上板体と、
環フレーム形状で、上面は周囲外形に沿って環状の傾斜槽を有する下板体と、
封閉のフレーム体で、前記上板体と前記下板体間に設置される内フレームと、
両端がそれぞれ前記上板体と前記下板体の環状傾斜槽内に挿入され、且つ、両端間が前記内フレームに寄り掛かり、固定素子により前記内フレーム内に固定される複数の棒体と、
からなることを特徴とする家具構造。
【請求項２】
前記内フレームの外径は前記上板体と前記下板体の外径より大きく、前記棒体は外側に突出する形態を編製することを特徴とする請求項１に記載の家具構造。
【請求項３】
前記内フレームの外径は前記上板体と前記下板体の外径より小さく、前記棒体は内側に縮入する形態を編製することを特徴とする請求項１に記載の家具構造。        
【請求項４】
前記上板体と前記下板体、及び、前記内フレームの外形は円形で、前記棒体を円形の桶状に編製することを特徴とする請求項１に記載の家具構造。
【請求項５】
前記上板体、前記下板体、及び、前記内フレームは不規則形態で、前記棒体を前記内フレームに対応する不規則形態に編製することを特徴とする請求項１に記載の家具構造。
【考案の詳細な説明】
【技術分野】
【０００１】
本考案は棒体を編織した家具構造に関する。
【背景技術】
【０００２】
公知の棒体を利用して製造した家具は、その構造がフレーム体と編織体からなり、編織体は多孔を有する造型で、フレーム体と編織体の組み合わせ構造は粘合方式を採用するか、或いは、線材により穿設縫合する方式により、編織体をフレーム体内側に固定するものである。もう一つの公知の家具構造は、その編織体は複数の縦型竹と複数の横型竹を組み合わせたもので、藤線を利用して交錯した縦型竹と横型竹を固定してなり、よって、編製速度が遅く、コストが高い。
【考案の開示】
【考案が解決しようとする課題】
【０００３】
本考案は、視覚創意に富み、且つ、編製が速く、便利である棒状編製の家具構造を提供することを目的とする。
【課題を解決するための手段】
【０００４】
上述の問題を達成するため、本考案は主に、竹材の撓性を有する特性を利用し、外形造型を有する内フレームを引導とし、棒体両体を上板体と下板体の傾斜槽内に固定し、上下板体の間の棒体を造型内の内フレーム辺縁に寄り掛からせて固定し、視覚創意効果を有する家具を構成する。
【０００５】
本考案の家具構造は、上板体、下板体、少なくとも一つの内フレームと複数の棒体、からなり、上下板体の下面と上面は、周囲の外形に沿って、それぞれ環状の傾斜槽を設置する。内フレームは封閉するフレーム体で、上板体と下板間に設置される。複数の棒体の両端はそれぞれ、上板体と下板体の環状傾斜槽中に挿入され、且つ、棒状の両端間は内フレームに寄り掛かり、固定素子により棒体を内フレームに固定し、これにより、棒体を編織した家具を構成する。
【０００６】
本考案の棒体編織家具は、棒体を外側に突出した桶状の座椅子、或いは、机に編製することができる。また、棒体を中心に縮入する形態の座椅子、或いは、机に編製することができる。
【０００７】
本考案の内フレームは円形、楕円形、或いは、その他の適当な幾何学形状、或いは、不規則形状で、内フレームに対応する形状の家具を編製する。
【０００８】
本考案の棒体は内フレームに寄り掛かり、その後、縄、或いは、その他の適合する固定素子により棒体を内フレームに固定する。    
【考案の効果】
【０００９】
本考案により、視覚創意に富み、且つ、編製が速く、便利である棒状編製の家具構造が提供される。
【考案を実施するための最良の形態】
【００１０】
図１は、本考案の机に編製する実施例を示す立体図である。本構造は、上板体１、下板体２、複数の棒状の棒体３、棒体３内側面に寄り掛かる内フレーム（図１では未図示）、及び、棒体３を内フレームに固定する縄４（前述の固定素子）、からなる。上板体１は四角形の環フレームで、且つ、下板体２も四角形の板素子で、棒体３の両端がそれぞれ上板体１の下面と下板体２の上面に設けられた環状の傾斜槽内に挿入されて配列し、板体３を外側に突出させる。上板体１の上面はテーブル板６を設置し、テーブル板６が上板体１に設置される時、机として使用される。テーブル板６を取り外すと、上板体１の開口から物品を入れることができる。
【００１１】
図２、図３、図５は、本考案による板体を外側方向に突出させて桶状体にした座椅子の実施例を示す図である。同様に、上板体１、環フレーム状の下板体２、複数の棒状の棒体３、棒体３内側面に寄り掛かる複数の内フレーム５、及び、棒体３を内フレーム５に固定する縄４、からなる。図３、及び、図６は、各素子間の関係を説明する。上板体１の下面は周囲外形に沿って、複数の環状の傾斜槽１１を設置する。環フレーム状の下板体２上面は周囲外形に沿って環状の傾斜槽２１を設置する。内フレーム５は封閉のフレーム体で、上板体１と下板体２間に設置される。内フレーム５の数量は図３で示されるように複数個でも、図４で示されるように一つでもよい。内フレーム５は設計者は消費者のニーズに応じて円形、楕円形、八の字、或いは、その他の適当な幾何学形状、或いは、不規則形状にすることができ、且つ、内フレーム５の外径は上板体１と下板体２の外径より大きいか小さい。
【００１２】
内フレーム５の外径が上板体１と下板体２の外径より大きい時、板状の棒体３両端は一つずつ上下板体１、２の環状傾斜槽１１、２１に挿入され（図６で示される）、且つ、棒体３が内フレーム５辺縁に寄り掛かるとき、棒体３を外側に突出する桶状の造型にする。板体３は前述の過程で、縄４を固定素子として、棒体３を内フレーム５に固定し、座椅子造型を構成する。この他、下板体２は環フレーム状の設計であるため、座椅子を反対に放置すると下板体２を上方に向ける時、下板体２の環フレーム状が形成する開口から物品を出し入れすることができ、収納箱として使用できる。
【００１３】
内フレーム５の外径が上板体１と下板体２の外径より小さい時、棒体３両端は一つずつ上下板体が設ける環状の傾斜槽１１、２１内に挿入され、且つ、棒体３が内フレーム５辺縁に寄り掛かるとき、棒体３を内側に縮入する造型にし（図７と図８で示される）、縄４により、棒体３を内フレーム５に固定する。
【００１４】
図９は、本考案の内フレーム５を特殊な、或いは、不規則な形状に設計した実施例で、前述の上下板体（図９で未図示）も内フレームに対応する相同形状に設計し、棒体３を内フレーム５に寄り掛からせて固定した後、特殊な形態の家具に編製する。
【００１５】
前述の各実施例による板体３は、外側に突出させても、或いは、中心に向かって凹入した弧形でもよい。しかし、内フレーム５の直径は上下板体１、２の直径と接近、或いは、相同であるとき、棒体３も直形状に形成できる。
【図面の簡単な説明】
【００１６】
【図１】本考案の机に編製する実施例の立体図である。
【図２】本考案の棒体を外側方向に突出させ桶状の座椅子に編製する実施例の平面図である。
【図３】図２のA-A方向に沿った平面図である。
【図４】図３の構造が一内フレームだけを設置した実施例の平面図である。
【図５】図２の上視図である。
【図６】図３の実施例構造中、棒体と上板体、及び、下板体の関係を示す平面断面図である。
【図７】本考案の板体を中心に凹入させて座椅子を編製する実施例の平面図である。
【図８】本考案の実施例の構造中、棒体と上板体、及び、下板体の関係を示す平面断面図である。
【図９】本考案の内フレームが不規則形態で、内フレーム周囲に配列された棒体が内フレームに対応する形態を構成する実施例の上視図である。
【符号の説明】
【００１７】
１        上板体
１１      環状傾斜槽
１２      開口
２        下板体
２１      環状傾斜槽
３        棒体
４        縄
５        内フレーム
６        テーブル板
【図１】
0003128964.tif 000003
【図２】
0003128964.tif 000004
【図３】
0003128964.tif 000005
【図４】
0003128964.tif 000006
【図５】
0003128964.tif 000007
【図６】
0003128964.tif 000008
【図７】
0003128964.tif 000009
【図８】
0003128964.tif 000010
【図９】
0003128964.tif 000011